(57)【要約】【課題】ヒータに接続する配線の無駄を最小限に抑える共に、扉の開き方向の変更作業を容易にする。【解決手段】冷蔵ショーケース１１は、筐体１２の開口部１２ａを開閉自在に閉成し、ヒータ３２を有する片開き扉１６を備え、該片開き扉１６を上下反転することで開き方向が変更可能になっている。筐体１２の上部に電源ユニット３６が設置され、該電源ユニット３６とヒータ３２とを接続する配線４０は、片開き扉１６の上下方向に延在し、片開き扉１６の上下の端面１６ａ,１６ｂから夫々引き出し可能な第１配線４２と、ヒータ３２に接続して上端面１６ａから引き出し可能な第２配線４４と、ヒータ３２に接続して下端面１６ｂから引き出し可能な第３配線４６とから構成される。上端面１６ａに臨む第１配線４２と第２配線４４とを電源ユニット３６に接続すると共に、下端面１６ｂに臨む第１配線４２と第３配線４６とを結線することで回路が形成される。【選択図】図１
2005221184.tif 000002
【特許請求の範囲】
【請求項１】
筐体(12)の開口部(12a)に上下に設けたヒンジ部材(20,26)により枢支されて、該開口部(12a)を開閉自在に閉成し得る片開き扉(16)と、この片開き扉(16)に配設され、前記筐体(12)に設けた電源ユニット(36)から配線(40)を介して給電されるヒータ(32)とを備え、前記片開き扉(16)を上下に反転させることで右開きまたは左開きに変更し得る貯蔵庫において、
前記配線(40)は、
前記片開き扉(16)の上下方向に延在し、その端部(42a,42b)を該片開き扉(16)の上下の扉端面(16a,16b)から夫々引き出し可能な第１配線(42)と、
一端部が前記ヒータ(32)の一方に接続して、他端部(44a)が前記片開き扉(16)の一方の扉端面(16a)から引き出し可能な第２配線(44)と、
一端部が前記ヒータ(32)の他方に接続して、他端部(46a)が前記片開き扉(16)の他方の扉端面(16b)から引き出し可能な第３配線(46)とからなり、
前記片開き扉(16)を前記筐体(12)に配設した際に、前記電源ユニット(36)側の一方の扉端面(16a)に臨む第１配線(42)の端部(42a)と第２配線(44)の端部(44a)とを前記電源ユニット(36)に接続すると共に、他方の扉端面(16b)に臨む第１配線(42)の端部(42b)と第３配線(46)の端部(46a)とを結線するよう構成した
ことを特徴とする貯蔵庫。
【請求項２】
前記配線(40)は、前記片開き扉(16)における他方の扉端面(16b)に臨む第１配線(42)の端部(42b)と第３配線(46)の端部(46a)とが予め結線されている請求項１記載の貯蔵庫。
【請求項３】
前記片開き扉(16)における枢支側の内側に電線管(48)が配設され、該電線管(48)の内部に前記配線(40)が挿通されている請求項１または２記載の貯蔵庫。
【発明の詳細な説明】
【技術分野】
【０００１】
この発明は、収納した物品を冷却等する貯蔵庫の開口部を開閉自在に閉成する片開き扉を備える貯蔵庫に関し、特に扉に結露や氷結等を防止するためのヒータを備え、該片開き扉を上下反転することで開き方向が変更可能になっている貯蔵庫に関するものである。
【背景技術】
【０００２】
食品や飲料品等の物品を冷蔵・冷凍等して保存する貯蔵庫として、例えば物品出し入れ口を閉成する扉に透明なガラスを嵌め込むことで内部に収納した物品を見通せるようにした冷蔵ショーケースが、ショッピングセンタやコンビニエンスストア等に設置されている。図６に示すように、この冷蔵ショーケース１０は、内箱と外箱とで画成される空間部分に断熱材を充填して断熱処理をした筐体１２の上方に、圧縮機や凝縮器および凝縮器用ファン等からなる冷却装置(何れも図示せず)が配設される機械室１５を画成した構成となっている。また、前記筐体１２の内部に画成した収納室１４の前面には、前方に開放する矩形状の開口部１２ａが開設されている。そして前記開口部１２ａは、筐体１２の一側部における上部および下部に配設されたヒンジ部材２０,２６で回動可能に枢支された片開き扉１６により開閉自在に閉成される。
【０００３】
前記片開き扉１６は、前記収納室１４が冷却等されることにより該片開き扉１６の内外で温度差が生じるために、片開き扉１６の表面に結露が発生することがある。すなわち、前記冷蔵ショーケース１０の片開き扉１６は、扉本体１７にガラス１８を嵌め込んであるので、このガラス１８に結露水が付着して内部に収納した商品が視認し難くなる欠点がある。そこで、前記ガラス１８を囲繞するようにヒータ３２を配設し、このヒータ３２の加熱により内外の温度差を解消して結露を防止している(例えば、特許文献１参照)。前記ヒータ３２には、前記機械室１５に設置された電源ユニット３６に接続された配線３４,３４が夫々接続され、この配線３４,３４を介して電源ユニット３６から給電される。前記配線３４,３４は、前記扉本体１７の内部に埋設されて前記片開き扉１６の上端面１６ａから引き出された後、上部ヒンジ部材２０を介して前記機械室１５に導入される径路で配設され、外部への露出を最小限に抑えるようになっている。
【０００４】
ところで前記片開き扉１６は、前記冷蔵ショーケース１０の設置位置等の使用環境により左右両方の開き方向が要求されるため、同一の筐体１２に対して右開き用および左開き用に対応する２つのタイプの片開き扉１６が製造されていた。このように、前記片開き扉１６について、開き方向に対応して２つのタイプを製造すると、部品点数が増えることから、部品管理や製造上の負担が増え、コストが増加するばかりでなく、製品完成後に片開き扉１６の開き方向を変更する場合、該片開き扉１６自体を変更しなくてはならず、これもコストの増加に繋がってしまう問題が指摘される。
【０００５】
そこで、前記片開き扉１６を上下反転させることで、左右両方の開き方向に対応するよう変更可能に構成した貯蔵庫も提案されている。しかし前記片開き扉１６が、上または下のどちらか一方の扉端面から配線３４,３４を引き出す構成であると、該片開き扉１６の開き方向を変更した際に、該配線３４,３４の引き出し位置が上下反転してしまうため、配線３４,３４の取り回しが煩雑になってしまう難点があった。従って図７に示すように、前記ヒータ３２の接続端部で配線３４,３４を二股に分岐させて、前記片開き扉１６の上端面１６ａと下端面１６ｂとから引き出した２組の配線群を予め備える構成が採用されている。また、片開き扉を上下反転した際に、該片開き扉の配線が臨む位置に対応して、延長配線を予め筐体内に配設した貯蔵庫もある(例えば、特許文献２参照)。
【特許文献１】特開２００２−２６７３２９号公報
【特許文献２】特開平７−８３５５９号公報
【発明の開示】
【発明が解決しようとする課題】
【０００６】
前記片開き扉１６または筐体１２内に予備の配線３４,３４を予め配設しておくことで、該片開き扉１６の開き方向の変更作業時に、配線３４,３４の取り回しが容易になるが、予備の配線３４,３４を配設することによる製造時の手間の増加や、使用しない配線３４,３４の端部処理が煩雑である等の難点が指摘される。
【０００７】
すなわちこの発明は、従来の技術に係る貯蔵庫に内在する前記問題に鑑み、これらを好適に解決するべく提案されたものであって、ヒータに接続する配線の無駄を最小限に抑えると共に、開き方向の変更作業を容易に実施し得る貯蔵庫を提供することを目的とする。
【課題を解決するための手段】
【０００８】
前記課題を克服し、所期の目的を達成するため、本発明に係る貯蔵庫は、
筐体の開口部に上下に設けたヒンジ部材により枢支されて、該開口部を開閉自在に閉成し得る片開き扉と、この片開き扉に配設され、前記筐体に設けた電源ユニットから配線を介して給電されるヒータとを備え、前記片開き扉を上下に反転させることで右開きまたは左開きに変更し得る貯蔵庫において、
前記配線は、
前記片開き扉の上下方向に延在し、その端部を該片開き扉の上下の扉端面から夫々引き出し可能な第１配線と、
一端部が前記ヒータの一方に接続して、他端部が前記片開き扉の一方の扉端面から引き出し可能な第２配線と、
一端部が前記ヒータの他方に接続して、他端部が前記片開き扉の他方の扉端面から引き出し可能な第３配線とからなり、
前記片開き扉を前記筐体に配設した際に、前記電源ユニット側の一方の扉端面に臨む第１配線の端部と第２配線の端部とを前記電源ユニットに接続すると共に、他方の扉端面に臨む第１配線の端部と第３配線の端部とを結線するよう構成したことを特徴とする。
【発明の効果】
【０００９】
本発明に係る貯蔵庫によれば、片開き扉の上下方向に亘って延在し、その端部を該片開き扉の上下の扉端面から夫々引き出し可能に配設した配線と、ヒータに夫々接続して、その端部を片開き扉における上下の扉端面から一本ずつ引き出し可能に配設した２本の配線とを備え、片開き扉における電源ユニット側の扉端面に臨む配線を該電源ユニットに接続すると共に、他方の扉端面に臨む配線同士を結線することでヒータの給電回路が構成されるので、予備の配線が必要なく、配線の無駄を最小限に抑えると共に、製造時の配線作業の手間を軽減し、予備配線の端部処理の手間を省ける利点がある。また、片開き扉における他方の扉端面に臨む配線同士を予め結線しておくことで、配線作業をより軽減できる。更に、片開き扉に埋設される配線を電線管の内部を挿通させて配設しているから、該片開き扉の回動に合わせて配線の移動が許容されるので、配線のねじれが抑制されて断線が防止される。
【発明を実施するための最良の形態】
【００１０】
次に、本発明に係る貯蔵庫につき、好適な実施例を挙げて、添付図面を参照して以下に説明する。なお、説明の便宜上、図６に示した貯蔵庫の構成要素と同一の要素については、同一の符号を使用して詳細な説明は省略する。また実施例においては、冷蔵ショーケースを挙げて説明するが、冷蔵ショーケースに限らず冷蔵庫や冷凍庫等であって、上下反転して開き方向を変更可能な片開き扉で筐体の開口部を開閉自在に閉成する構成を採用するものであれば、特に限定されない。
【実施例】
【００１１】
図１に示すように、冷蔵ショーケース１１は、筐体１２の内部に食品や飲料品等の物品を収納する収納室１４が画成され、前面側に開放して物品の出し入れ口となる開口部１２ａが該収納室１４に連通して開設されている。また前記筐体１２には、前記開口部１２ａにおける右側(図１参照)の上部および下部開口縁に対応して、上部ヒンジ部材２０と下部ヒンジ部材２６とが夫々配設されている。そして、前記筐体１２に片開き扉１６が、その右側の上下端面を前記上下のヒンジ部材２０,２６を介して回動可能に枢支され、前記開口部１２ａを開閉自在に閉成し得るよう構成される。なお前記片開き扉１６は、その右側縁を中心として回動する右開きになっている。実施例では、前記筐体１２の上方に機械室１５が画成され、該機械室１５には圧縮機や凝縮器および凝縮器用ファン等からなる冷却装置(何れも図示せず)が収納されると共に、後述するヒータ３２に配線４０を介して電力を供給する電源ユニット３６が設置されている。
【００１２】
前記片開き扉１６は、縦長方形で箱状の外装材の内部空間にウレタン等の断熱材を充填して断熱処理がされた扉本体１７と、この扉本体１７の略中央部に嵌め込まれたガラス１８とから構成されている。前記ガラス１８は、ガラス板を重ね合わせた複層体であって、その４辺(外周縁)を扉本体１７に配設された図示しない枠部材に嵌め込まれて保持され、前記収納室１４に収納された物品を外部より透かして見ることができるようになっている。
【００１３】
前記片開き扉１６におけるガラス１８の外周縁には、該ガラス１８の結露を防止するヒータ３２が囲繞するよう配設されている。前記ヒータ３２の両端部は、前記ヒンジ部材２０,２６側(正面視において右側)で、かつ片開き扉１６の上下方向の略中間部位に位置して、前記配線４０とコネクタ３８,３８を介して接続されている。また、前記扉本体１７における枢支側の内部には、中空円筒状の電線管４８,４８が上下方向に延在するよう埋設され、この電線管４８,４８の内部に前記配線４０が挿通されている。ここで前記電線管４８,４８は、前記筐体１２の開口縁における右側に偏倚して配設された上下のヒンジ部材２０,２６に、その夫々の開口端が対応するように片開き扉１６の内部に埋設されている。
【００１４】
図２に示すように、前記配線４０は、前記片開き扉１６の上下方向に亘って延在し、その端部４２ａ,４２ｂを該片開き扉１６の上下の扉端面１６ａ,１６ｂから夫々引き出し可能に配設した第１配線４２と、一端部が前記ヒータ３２の一方に接続して、他端部４４ａを片開き扉１６における前記電源ユニット３６の配設側に臨む上端面(一方の扉端面)１６ａから引き出し可能に配設した第２配線４４と、一端部がヒータ３２の他方に接続して、他端部４６ａを片開き扉１６における下端面(他方の扉端面)１６ｂから引き出し可能に配設した第３配線４６とから構成されている。すなわち前記ヒータ３２は、前記扉本体１７の内部において、その一端部に第２配線４４が接続されると共に、その他端部に第３配線４６が接続されている。そして、前記電線管４８における片開き扉１６の上端面１６ａに臨む開口からは、前記第１配線４２の上端部４２ａと、前記第２配線４４の他端部４４ａとが引き出し得るようになっている。これに対し、前記電線管４８にける片開き扉１６の下端面１６ｂに臨む開口からは、前記第１配線４２の下端部４２ｂと、前記第３配線４６の他端部４６ａとが引き出し得るようになっている。前記各配線４２,４４,４６は、可撓性を有するものが採用されると共に、前記扉本体１７内において該配線４２,４４,４６が配線される距離より十分長い寸法に設定される。前記配線４０は、必要に応じて上端面１６ａまたは下端面１６ｂに臨む端部４２ａ,４２ｂ,４４ａ,４６ａを電線管４８内から引き出して、前記電源ユニット３６との接続または互いの端部同士の結線等が実施される。更に、前記片開き扉１６から引き出した配線４０は、前記電線管４８の内部に撓ませて収納し得るようになっている。
【００１５】
図３に示すように、前記片開き扉１６の上端面１６ａから引き出された第１および第２配線４２,４４は、前記上部ヒンジ部材２０を介して機械室１５に導入されている。前記上部ヒンジ部材２０は、断面Ｌ字状の形鋼であって、その前側に向けて水平に延在する延出部にヒンジ軸２４が下向きに突設されている。このヒンジ軸２４には、前記第１および第２配線４２,４４の挿通を許容する孔部２４ａが穿設してある。一方、前記片開き扉１６の上端面１６ａに配設される軸受５０は、前記電線管４８における該片開き扉１６の上端面１６ａに臨む開口端に配設される。前記軸受５０は、外径が電線管４８の開口と整合する寸法に設定されると共に、前記ヒンジ軸２４の挿入を許容する軸孔５０ａが開設してある。また、前記軸受５０における上端縁には、半径方向外方へ延出するフランジ部５０ｂが形成され、該軸受５０を前記電線管４８の開口に内挿した際、該フランジ部５０ｂが開口縁に掛止することで、該軸受５０の移動が規制されるようになっている。前記軸孔５０ａの底部は開放されて前記電線管４８の内部と連通し、前記第１および第２配線４２,４４の挿通を許容するよう構成される。すなわち、前記軸受５０は、前記上部ヒンジ部材２０のヒンジ軸２４を受容して、前記片開き扉１６の上部を回動可能に保持すると共に、前記電線管４８の開口端を覆う蓋としても機能する。そして、前記軸受５０の軸孔５０ａに前記上部ヒンジ部材２０のヒンジ軸２４を嵌合することで、該軸孔５０ａとヒンジ軸２４の孔部２４ａが連通して、片開き扉１６の上端面から引き出された第１配線４２の上端部４２ａおよび第２配線４４の他端部４４ａは、上部ヒンジ部材２０の孔部２４ａを経由して機械室１５の前面を覆うカバーに開設された図示しない孔部から機械室１５内に導入され、前記電源ユニット３６に接続される。
【００１６】
図４に示すように、前記下部ヒンジ部材２６は、断面Ｌ字状の形鋼であって、その前側に向けて水平に延在する延出部にヒンジ軸３０が上向きに突設されている。一方、前記片開き扉１６の下端面１６ｂに配設される軸受５０は、前記電線管４８における該片開き扉１６の下端面１６ｂに臨む開口端に配設される。前記軸受５０は、前記片開き扉１６が上下に反転された際に、兼用できるように上端面１６ａに配設されたものと同一の構成となっている。そして、前記軸受５０の軸孔５０ａに前記下部ヒンジ部材２６のヒンジ軸３０を嵌合することで、該下部ヒンジ部材２６に片開き扉１６の下部が保持されると共に、該ヒンジ軸３０が前記電線管４８の内方に連通する軸孔５０ａの蓋して機能している。また、前記片開き扉１６の下端に位置している第１配線４２の下端部４２ｂと第３配線４６の他端部４６ａとが、コネクタ３８を介して着脱自在に結線され、その結線部は電線管４８内に収納されている。
【００１７】
〔実施例の作用〕
次に、実施例に係る貯蔵庫の作用について説明する。先ず、上下に配線４０を取出し得るように構成した片開き扉１６を、上部に電源ユニット３６を有する筐体１２に右開きするよう取付けた際の配線工程について説明する。前記電線管４８の上部開口を覆っている前記軸受５０の軸孔５０ａから前記第１配線４２の上端面１６ａに臨む端部４２ａおよび第２配線４４の他端部４４ａを引き出して、この軸孔５０ａに整合しているヒンジ軸２４の孔部２４ａに挿通させる。そして、前記機械室１５の前面を覆うカバーの孔部から機械室１５に前記第１配線４２および第２配線４４を導入して、これらの配線４２,４４を電源ユニット３６に夫々接続する。このとき、前記第１配線４２および第２配線４４は、十分長く設定されているので、前記電源ユニット３６への接続作業を容易に実施できる。次いで、前記電線管４８の下部開口を覆っている前記軸受５０の軸孔５０ａから前記第１配線４２の下端面１６ｂに臨む端部４２ｂおよび第３配線４６の他端部４６ａを引き出して、これらの端部４２ｂ,４６ａをコネクタ３８を介して結線する。結線した後、引き出した配線４２,４６は、再び電線管４８に押し込んで該電線管４８内に収納しておく。結線の際、前記配線４２,４６の端部４２ｂ,４６ａをコネクタ３８で着脱可能に接続すると、後述する変更作業の手間を軽減できる。これにより図１に示すように、前記ヒータ３２の一方に接続された第２配線４４が上部ヒンジ部材２０を介して機械室１５の電源ユニット３６に接続されると共に、他方に接続された第３配線４６が片開き扉１６の下端近傍で第１配線４２の下端部４２ｂに接続し、上下方向に延在する第１配線４２の上端部４２ａが上部ヒンジ部材２０を介して電源ユニット３６に接続して回路が形成され、ヒータ３２に給電し得るようになる。そして、前記片開き扉１６と機械室１５との間に配設される配線４０は、前記上部ヒンジ部材２０に挿通されているので、該配線４０が外部に露出せず、意匠を損うことがない。なお、前記片開き扉１６は、一般的に右開きに設定されるので、該片開き扉１６の下端面１６ｂに位置する第１配線４２の下端部４２ｂと第３配線４６の他端部４６ａとを予め結線しておく構成も採用し得る。
【００１８】
また、右開きの片開き扉１６を上下反転させることで、図５に示すように、左開きに変更することができる。前記電源ユニット３６に接続している第１配線４２の上端部４２ａと第２配線４４の他端部４４ａを、該電源ユニット３６から取外して機械室１５および上部ヒンジ部材２０から引き出す。前記片開き扉１６を取外して上下反転させて、その上端面１６ａに位置した第１配線４２の下端部４２ｂと第３配線４６の他端部４６ａとの結線状態を解消して、上部ヒンジ部材２０を介して電源ユニット３６に夫々接続する。また、前記片開き扉１６の下端面１６ｂに位置した第１配線４２の上端部４２ａと第２配線４４の他端部４４ａを結線し、電線管４８の内部に収納する。このように、前記電源ユニット３６の配設された側の一方の扉端面１６ａに位置する第１配線４２の端部が、該電源ユニット３６に接続されると共に、第２配線４４の他端部４４ａおよび第３配線４６の他端部４６ａのうち、その端部が該電源ユニット３６側に位置する配線が電源ユニット３６に接続され、前記片開き扉１６における電源ユニット３６と離間する他方の扉端面１６ｂに位置する配線が第１配線４２に接続される。すなわち、前記片開き扉１６における上下両端に前記配線４０が導出しているから、該片開き扉１６を上下反転した際に、電源ユニット３６に臨む一方の端部を該電源ユニット３６に接続すると共に、他方の端部を互いに接続することで、回路を構成することができる。従って、一つの型の片開き扉１６で左右の開き方向に対応できると共に、少ない労力で該片開き扉１６の開き方向を変更することができる。
【００１９】
前記片開き扉１６の内部における配線４０として、従来(図７参照)にような予備配線が必要なく簡素なため、構造上無駄がなく、製造の手間を軽減できると共に、製造コストの上昇を最小限に抑えることができる。また、前記電源ユニット３６が前記筐体１２の上下どちらにあっても配線４０を接続できるので、片開き扉１６自体の汎用性が向上して、部品の共通化によりコストの低減を見込める。更に、前記冷蔵ショーケース１１を設置した後に、使用場所において片開き扉１６の開き方向を変更するのが容易であって、該片開き扉１６の交換等の新たなコストの発生がない利点がある。
【００２０】
前記電線管４８内に配管４０を収納することで、前記片開き扉１６の開閉に伴う配線４０のねじれが許容されるので、該配線４０の断線を防止できる。前記配線４０の端部に着脱自在なコネクタ３８を予め配設しておくことで、配線同士の接続または解除作業の容易化を図ることもできる。
【００２１】
実施例では、ガラス結露防止のためにヒータ３２を設けたが、片開き扉１６と筐体１２の開口縁との間に配設されるパッキンの氷結を防止するために配設されるヒータ等、片開き扉１６に配設されるヒータ等の被給電部材と電源ユニット３６との間に配線４０が接続され、片開き扉１６の開き方向を左右兼用できる構成であれば、本発明は好適に適用し得る。
【図面の簡単な説明】
【００２２】
【図１】本発明の好適な実施例に係る冷蔵ショーケースを示す正面図である。
【図２】実施例の片開き扉を示す正面図である。
【図３】図１のＡ部を切り欠いて示す拡大図である。
【図４】図１のＢ部を切り欠いて示す拡大図である。
【図５】図１と片開き扉の開き方向を変更した冷蔵ショーケースを示す正面図である。
【図６】従来の冷蔵ショーケースを示す正面図である。
【図７】従来の冷蔵ショーケースの片開き扉を示す正面図である。
【符号の説明】
【００２３】
１２ 筐体，１２ａ 開口部，１６ 片開き扉，１６ａ 上端面(一方の扉端面)，
１６ｂ 下端面(他方の扉端面)，２０ 上部ヒンジ部材(ヒンジ部材)，
２６ 下部ヒンジ部材(ヒンジ部材)，３２ ヒータ，３６ 電源ユニット，４０ 配線，
４２ 第１配線，４２ａ 上端部(端部)，４２ｂ 下端部(端部)，
４４ 第２配線，４４ａ 他端部，４６ 第３配線，４６ａ 他端部，４８ 電線管
【図１】
2005221184.tif 000003
【図２】
2005221184.tif 000004
【図３】
2005221184.tif 000005
【図４】
2005221184.tif 000006
【図５】
2005221184.tif 000007
【図６】
2005221184.tif 000008
【図７】
2005221184.tif 000009